(57)【要約】  本発明は、レンチキュラ式自動立体視ディスプレイのための画像データのような、マルチビューディスプレイのための画像データの再生に関する。本方法は、画像についてのビュー依存の画像データを供給するステップと、前記画像についてのビュー依存の強度関数（又は輝度関数）を決定するステップと、前記強度関数のビュー依存の座標に対して空間フィルタリング（ローパスフィルタリング、ハイパスフィルタリング、又はローパスフィルタリングとハイパスフィルタリングとの組み合わせのような）を適用するステップと、前記ビュー依存の強度関数を複数のサブ画像にサンプリングするステップと、を有し、各前記サブ画像は前記画像の観測方向に関連する。
2009515404.tif 000002
【特許請求の範囲】
【請求項１】
マルチビューディスプレイのための画像データを再生する方法であって、
画像についてのビュー依存の画像データを供給するステップと、
前記画像についてのビュー依存の強度関数を決定するステップと、
前記強度関数のビュー依存の座標に対して空間フィルタリングを適用するステップと、
前記ビュー依存の強度関数を複数のサブ画像にサンプリングするステップと、
を有し、各前記サブ画像は前記画像の観測方向に関連する方法。
【請求項２】
前記空間フィルタリングはハイパスフィルタリングである、請求項１に記載の方法。
【請求項３】
前記空間フィルタリングはローパスフィルタリングである、請求項１に記載の方法。
【請求項４】
前記空間フィルタリングは、ハイパスフィルタリングとローパスフィルタリングとの組み合わせである、請求項１に記載の方法。
【請求項５】
前記ハイパスフィルタリングは、所定の周波数を超える周波数に対して正の利得を加える、請求項２に記載の方法。
【請求項６】
前記ローパスフィルタリングにおいて、ナイキスト周波数を超える周波数が除去される、請求項３に記載の方法。
【請求項７】
前記ビュー依存の強度関数は、前記画像の少なくとも１つの色成分について決定され、前記空間フィルタリングは、前記画像の前記少なくとも１つの色成分に適用される、請求項１に記載の方法。
【請求項８】
前記ビュー依存の強度関数は、光学素子の配置に従って生成される、請求項１に記載の方法。
【請求項９】
前記ビュー依存の強度関数は、色及び深度情報を含む画像フォーマットから生成される、請求項１に記載の方法。
【請求項１０】
前記ビュー依存の強度関数は、多数の画像から生成される、請求項１に記載の方法。
【請求項１１】
前記ビュー依存の強度関数は、任意の数の観測方向にサンプリングされる、請求項１に記載の方法。
【請求項１２】
前記画像データの画像フォーマットは２．５Ｄビデオ画像フォーマットである、請求項１に記載の方法。
【請求項１３】
マルチビューディスプレイ装置であって、前記装置は、
それぞれが画像の観測方向に関連する群に配置された表示要素のアレイを有するディスプレイパネルと、
前記表示要素の群から発せられた光が前記群の観測方向に関連する角度分布に向けられるように、前記ディスプレイパネルから発せられる光を導くための光学素子と、
画像についてのビュー依存の画像データを受信するための入力モジュールと、
前記画像についてのビュー依存の強度関数を決定し、前記強度関数のビュー依存の座標に対して空間フィルタリングを適用するための再生モジュールと、
前記ビュー依存の強度関数を複数のサブ画像に出力するための出力モジュールと、
を有し、各前記サブ画像は前記表示要素の群及び前記画像の観測方向に関連する装置。
【請求項１４】
画像についてのビュー依存の画像データを受信するための入力モジュールと、
前記画像についてのビュー依存の強度関数を決定し、前記強度関数のビュー依存の座標に対して空間フィルタリングを適用するための再生モジュールと、
前記ビュー依存の強度関数を出力するための出力モジュールと、
を有する信号再生システム。
【請求項１５】
請求項１に記載の方法を実装するためのコンピュータ読み取り可能なコード。
【発明の詳細な説明】
【技術分野】
【０００１】
本発明は、マルチビューディスプレイのための画像データを再生する方法に関する。本発明は特に、画像が幾つかの方向から観測されるマルチビューディスプレイのための画像データを再生する方法に関する。本発明は更に、マルチビューディスプレイ、信号再生システム、及び前記方法を実装するためのコンピュータ読み取り可能なコードに関する。
【背景技術】
【０００２】
マルチビューディスプレイは、観測方向に依存して異なる画像を観測者に提示することが可能であり、それにより画像中のオブジェクトが異なる角度から観測され得るディスプレイである。マルチビューディスプレイの例は、観測者の左眼に対して右眼と異なる画像を提示することが可能な、自動立体視（auto-stereoscopic）ディスプレイである。種々のマルチビュー技術が存在しており、斯かる技術の１つは、レンチキュラベースのものである。レンチキュラディスプレイは、異なる水平方向の観測方向に対して複数の画像を表示することが可能な視差３次元（３Ｄ）ディスプレイである。このようにして、観測者は、例えば運動視差及び立体視の手掛かりを体験することができる。
【０００３】
マルチビューディスプレイに関連する１つの問題は、異なる観測方向についての画像がオーバラップし、それによってゴースト画像又は画像間のクロストークを引き起こし得る点である。他の問題は、観測方向の数が比較的少なくなり得（典型的には８又は９個）、幾つかの観測方向においてエイリアシング（aliasing）効果を引き起こし得る点である。
【０００４】
米国特許出願公開US2003/0117489は、３Ｄ自動立体視ディスプレイの左眼画像と右眼画像との間のクロストークを低減する３次元ディスプレイ及び方法を開示している。該開示されたクロストークを低減する方法は、左画像及び右画像の双方の全画素に基本レベルのグレイを加算して、背景のグレイレベルを増大させることに基づく。
【発明の開示】
【発明が解決しようとする課題】
【０００５】
本発明の発明者は、画像データを再生する改善された方法が有益であると認識し、その結果本発明を発明した。
【０００６】
本発明は、マルチビューディスプレイのための画像データを再生するための改善された手段を提供することを目的とし、またマルチビューディスプレイの観測者即ちユーザに知覚される画質を改善するフィルタリング手法を提供することを目的とする。好ましくは本発明は、上述した欠点又は他の欠点の１つ以上を、単独で又は組み合わせて軽減、緩和又は除去する。
【課題を解決するための手段】
【０００７】
従って、第１の態様において、マルチビューディスプレイのための画像データを再生する方法であって、 
画像についてのビュー依存の画像データを供給するステップと、
前記画像についてのビュー依存の強度関数を決定するステップと、
前記強度関数のビュー依存の座標に対して空間フィルタリングを適用するステップと、
前記ビュー依存の強度関数を複数のサブ画像にサンプリングするステップと、
を有し、各前記サブ画像は前記画像の観測方向に関連する方法が提供される。
【０００８】
マルチビューディスプレイにおいて、画像データは一般に適切な表現のために再生される。該画像は、該画像の空間的な即ち３Ｄの次元を観測者が知覚するように、観測者に対して投射された２Ｄ画像データに基づくものであり得るため、該再生が必要とされ得る。画像の各観測方向について、当該観測方向から観測される該画像のサブ画像が生成され、該サブ画像は関連する観測方向に投射される。
【０００９】
再生処理は典型的に、例えば画像データの入力フォーマット、ディスプレイ装置、画像データのタイプ等に依存する、幾つかの演算又はステップを有する。ビュー依存の画像データが、第１のステップにおいて供給される。該第１のステップは、再生処理全体の最初のステップである必要はない。ビュー依存の画像データから、ビュー依存の、又は多次元の、強度関数が決定される。該ビュー依存の強度関数は、とり得るビュー方向についてのディスプレイの発光強度又は輝度に関連する。該強度関数のビュー依存の座標は空間フィルタリングされ、該空間フィルタリングされた強度関数は、複数のサブ画像へとサンプリングされる。該ビュー依存の座標は、画像データの座標表現に依存する。典型的な座標表現においては、画像の強度関数は、ディスプレイ画面上の位置及び観測者の水平観測方向を表す角度を参照する空間座標セットで記述される。該角度は、ビュー依存の座標である水平観測方向を表す。しかしながら、マルチビューディスプレイのタイプ、画像データ、再生処理等に応じて、代替の座標表現が想像され得ることは理解されるべきである。
【００１０】
第１の態様による本発明は、幾つかの理由により、特に（本態様のみではないが）有利である。本方法においては、再生処理は実際の３次元フィルタリング処理とみなされ、それにより画像データの再生と該画像が提示されるディスプレイ装置との間の直接的且つ直感的なリンクを提供する。このことは、種々の異なるディスプレイ装置における本方法の単純且つ頑強な実装を容易化する。更に本方法は、クロストーク及びエイリアシングアーティファクトのようなアーティファクトの低減に効果的に対処する。なぜなら、これらアーティファクトは明確な再生段において対処され、クロストーク又はエイリアシングアーティファクトを更に除去又は減少させるための前処理又は後処理のような更なる処理を不必要とする。更に本方法は、画像データの入力又は出力フォーマットに対して非常に少ない制限しか課さない、又は制限を課さない、非常に一般的な方法である。ビュー依存の強度関数が幾つかの画像フォーマットから生成されても良く、いずれかの出力画像フォーマットが該ビュー依存の強度関数に基づいて生成又はサンプリングされても良い。
【００１１】
請求項２乃至４において定義された任意の特徴は、ローパスフィルタリング、ハイパスフィルタリング及び／又はこれら２つの組み合わせにより実行される空間フィルタリングは、種々の方法で実装され得る良く知られたバンドパスフィルタリング手法であり、それによって頑強且つ汎用的な実装を確実とするため、有利である。
【００１２】
請求項５において定義された任意の特徴は、所定の周波数を超える周波数に対して正の利得を加えることにより強度関数がシャープにされ得、それによってクロストーク効果に効果的に対処するため、有利である。
【００１３】
請求項６において定義された任意の特徴は、ローパスフィルタリングにおいてナイキスト（Nyquist）周波数を超える周波数を除去することにより、エイリアシング効果が効果的に対処されるため、有利である。
【００１４】
請求項７において定義された任意の特徴は、ビュー依存の強度関数を画像の色成分へと分割し、該画像の少なくとも１つの色成分に対して空間フィルタリングを適用することにより、異なる色成分の強度が別個に対処され、画像データのより効率的な処理に導き得るため、有利である。
【００１５】
請求項８乃至１０において定義された任意の特徴は、ビュー依存の強度関数がどのように生成されるかの有利な実施例を記述しているため、有利である。請求項８においては、ビュー依存の強度関数は、例えばマルチビューディスプレイのレンズ配置のような、光学素子の配置に従って生成される。このことは、ビュー依存の強度関数が光学素子に依存し得るため、有利である。請求項９においては、ビュー依存の強度関数は、色及び深度情報を含む画像フォーマットから生成される。このことは、深度マップが画像データに関連していない場合であっても斯かる深度マップが生成され得、それ故本方法が、色及び深度を含む画像フォーマットに対しても、色のみを含み深度情報が次いで生成されるような画像フォーマットに対しても、共に適用され得るため、有利である。請求項１０においては、ビュー依存の強度関数は、多数の画像から生成される。このことは、画像のビュー依存性が、例えば種々の視点からとられた画像に基づいて生成され得るため、有利である。
【００１６】
請求項１１において定義された任意の特徴は、任意の数の観測方向にビュー依存の強度関数をサンプリングすることにより、本方法が、分数個のビューを呈するディスプレイ及び整数個のビューを呈するディスプレイのいずれにも適用され得るため、有利である。分数のビュー数は、例えば観測距離補正のために有利に適用され得る。
【００１７】
請求項１２において定義された任意の特徴は、２．５Ｄのビデオ画像フォーマットは標準的であり広く利用されているフォーマットであるため、有利である。
【００１８】
本発明の第２の態様によれば、マルチビューディスプレイ装置であって、前記装置は、
それぞれが画像の観測方向に関連する群に配置された表示要素のアレイを有するディスプレイパネルと、
前記表示要素の群から発せられた光が前記群の観測方向に関連する角度分布に向けられるように、前記ディスプレイパネルから発せられる光を導くための光学素子と、
画像についてのビュー依存の画像データを受信するための入力モジュールと、
前記画像についてのビュー依存の強度関数を決定し、前記強度関数のビュー依存の座標に対して空間フィルタリングを適用するための再生モジュールと、
前記ビュー依存の強度関数を複数のサブ画像に出力するための出力モジュールと、
を有し、各前記サブ画像は前記表示要素の群及び前記画像の観測方向に関連する装置が提供される。
【００１９】
本ディスプレイ装置は、第１の態様の再生方法によって拡張されたマルチビューディスプレイ装置である。該マルチビューディスプレイ装置は、本発明の第１の態様による機能を備えて製造されたディスプレイ装置であっても良く、又は本発明の第１の態様による機能を備えて製造されたものではないが後に本発明の機能により拡張されたディスプレイ装置であっても良いことは、本発明の利点である。
【００２０】
入力モジュール、再生モジュール及び出力モジュールは、本発明の第３の態様による信号再生システムとして提供されても良い。
【００２１】
本発明の第４の態様によれば、第１の態様による方法を実装するためのコンピュータ読み取り可能なコードが提供される。
【００２２】
一般的に、本発明の種々の態様は、本発明の範囲内で、いずれかのとり得る方法で組み合わせられ結合されても良い。本発明のこれら及びその他の態様、特徴及び／又は利点は、以下に説明される実施例を参照しながら説明され明らかとなるであろう。
【発明を実施するための最良の形態】
【００２３】
本発明の実施例が、図面を参照しながら、単に例として説明される。
【００２４】
図１は、３Ｄレンチキュラディスプレイの原理を示す。レンチキュラディスプレイは、ＬＣＤパネルディスプレイ１に基づき、該ＬＣＤパネルディスプレイ１の前面にレンズ２が取り付けられている。該レンズは特定の観測角φに対応し、観測者３は基となるＬＣＤの画素のサブセットのみを観測する。種々の観測方向に関連する画素のサブセットに対して適切な値が設定される場合には、観測者は異なる観測角度から異なる画像を観測する。それにより、観測者３は画像の中央のビューを観測し、一方で該観測者は６で示された観測角度からは画像の側面図を観測することとなる。
【００２５】
各レンズは幾つかの画素４、５をカバーし、これら画素を、７で示された幾つかの画素により示されるように投射する。観測者は、画素の１つのサブセット４を右眼で観測し、画素の他のサブセット５を左眼で観測する。これによって３Ｄ体験が得られる。
【００２６】
図２Ａは、レンチキュラディスプレイの略図を上面図で示す。該ディスプレイは、従来のＬＣマトリクスディスプレイパネルのような、表示要素２０即ち画素のアレイを有する。ここで該画素は群で配置され、各群は画像の１つの観測方向と関連する。画素の各群はサブ画像を構成し、各サブ画像は１つの観測方向と関連する。光学素子即ちレンズが、画素から発せられた光を誘導し、画素の群から発せられた光が該群の観測方向に関連する角度分布へと向けられるようにし、それにより観測者の各眼に対して別個の画像を提供する。
【００２７】
レンチキュラレンズは、図示された実施例においては、画素の列に対して僅かな角度で即ち斜めに配置されており、これにより該レンズの主縦軸が、表示要素の列方向に対して角度を付けられている。該配置においては、観測者は、レンズの方向２２に沿ってサンプリングされる点を観測することとなる。９ビューのディスプレイにおいては、９個の画像（各ビュー方向に対して１個）が同時に計算され、サブ画像に関連する画素の群に表示される。画素が発光させられると、該画素の上にあるレンズ全体が照射され（２１）（このことは図２Ｂに示される）、これにより特定の観測方向について該画素の上にあるレンズ全体が観測される。
【００２８】
図１、２Ａ及び２ＢはＬＣＤレンチキュラディスプレイを示したが、本発明はこのタイプのディスプレイに限定されるものではないことは、理解されるべきである。例えば本発明は、障壁型ディスプレイのようなディスプレイにより適用されても良く、マトリクスディスプレイパネルは、ＬＣパネルではなく、空間光変調器又はその他のタイプのディスプレイパネル（エレクトロルミネセンスパネル又はプラズマパネルのような）といった形態のものであっても良い。
【００２９】
単一の観測方向からの隣接するビューからのサブ画像の可視性は、クロストークのようなアーティファクトを引き起こし得る。このことは、４と２／３ディスプレイについて、即ち各レンズが水平方向に４と２／３個の画素をカバーするディスプレイについて、観測角の関数として可視光Ｉを示した図３において示される。異なるサブ画像からの角度分布３０乃至３４がオーバラップしていることが分かる。観測者に知覚される画像は、各角度分布からの光の合計であり、本例については、３つのサブ画像が、各観測方向の知覚画像に寄与することが分かる。
【００３０】
本発明の発明者は、適切なフィルタリングにより、クロストーク、ゴースト画像及びエイリアシングに関する問題が除去又は少なくとも低減され得ることを認識した。
【００３１】
これらの問題は、３Ｄディスプレイについての再生を、実際の３次元フィルタリング処理とみなすことにより対処される。ディスプレイ４０の各位置（ｘ，ｙ）及び観測角φについて、強度（又は輝度）関数Ｌ（ｘ，ｙ，φ）が与えられる。該強度関数は、ディスプレイの強度（又はディスプレイからの輝度発光）を記述する。
【００３２】
図４Ａは、ユーザが全ての方向から同一の画像を観測する、通常の２Ｄディスプレイの状況を示す。理想的な３Ｄディスプレイにおいては（図４Ｂ）、観測者は異なる観測方向から異なる画像を観測する。即ち、２つの観測方向４１及び４２からは、異なる画像が観測される。
【００３３】
観測者が異なる観測方向から異なる画像を観測することは、強度関数に反映される。２Ｄディスプレイに関連する強度関数は、種々の観測角φについて一定である（図５Ａ）。一方、３Ｄディスプレイに関連する強度関数は観測角φの関数であり、この例は図５Ｂに与えられる。
【００３４】
図６は、強度関数のバンドパスフィルタリングの効果を示す。該フィルタリングの後、ビュー依存の強度関数は、複数のサブ画像にサンプリングされる。その結果の画素値は、該サブ画像がディスプレイ上に形成されるように、該ディスプレイに割り当てられる。
【００３５】
図６は、強度のグラフ６０を観測角の関数として示す。６１で示された破線は、元の強度関数を示す。６２で示された点線は、ローパスフィルタリングが適用された後の関数を示し、６３で示される連続線は、ハイパスフィルタリングが適用された後の関数を示す。本例においては、ローパスフィルタリングが最初に適用され、次いでハイパスフィルタリングが適用される。その結果の、サブ画像にサンプリングされた強度関数は、本例においては、両方のバンドパスフィルタリングを適用した後の関数６３である。
【００３６】
ローパスフィルタリングは、ディスプレイのビューの数に依存する８又は９個のような少ない数のサブ画像への強度関数のサンプリングに関連する、典型的にはエイリアス問題のような問題を緩和する。該ローパスフィルタリングにおいて、ナイキスト周波数よりも高い周波数が除去される。ハイパスフィルタリングは、観測方向においてぼけ（blur）をもたらすクロストークに関連する問題を緩和する。ハイパスフィルタリングは、高周波数（例えばナイキスト周波数よりも低い周波数）を、これら周波数を増大させることにより、即ち所定の周波数よりも高い周波数に対して正の利得を加えることにより、増幅する。ハイパスフィルタリングとローパスフィルタリングとの組み合わせは図６に示されるが、これらフィルタリングは別個に適用されても良く、ハイパスフィルタリングのみが適用されても良いし又はローパスフィルタリングのみが適用されても良い。ハイパスフィルタリングとローパスフィルタリングとの組み合わせが適用される実施例については、フィルタリングの順序は図６の順序と異なっても良い。バンドパスフィルタリングは、ビュー依存の座標即ちφのフーリエ変換によって、又はその他の適切な変換によって、実行されても良い。
【００３７】
一実施例において、観測者に示されるべき画像データを含む信号が、入力モジュールに入力される。再生モジュールにおいて、該入力された画像データからビュー依存の強度関数が再構築又は決定される。該再生モジュールは、典型的にはプロセッサユニットである。ビュー依存の強度関数は、光学素子の配置に従って（例えばレンズの数、レンズのタイプ又は形状、レンズの位置等を考慮することによって）、再構築又は生成されても良い。ビュー依存の強度関数はまた、２．５Ｄビデオフォーマットのような、画像の色及び深度情報を含む入力信号から再構築されても良い。ビュー依存の強度関数はまた、多数の観測方向からの画像を記述する、多数の画像のような、いずれかの数のビューから再構築されても良い。ビュー依存の座標の空間フィルタリングもまた再生モジュールにおいて適用され、フィルタリングされた強度関数が出力モジュールにおいて複数のサブ画像に対して出力される。各サブ画像は、表示要素の群及び画像の観測方向に関連する。入力モジュール、再生モジュール及び出力モジュールは、別個のエンティティである必要はないが、別個のエンティティであっても良い。
【００３８】
再生モジュールはまた、更なる再生機能を画像データに適用しても良い。例えば、画像データは、観測解像度に対して適切にスケーリングされ、色が調節される等しても良い。画像信号の再生は、異なる色成分について別個に実行されても良く、ビュー依存の強度関数が画像の少なくとも１つの色成分ついて決定され、該画像の少なくとも１つの色成分に空間フィルタリングが適用されても良い。例えば、ＲＧＢ信号においては、緑成分が最も明るい成分であるため、空間フィルタリングは一実施例においては緑成分にのみ適用されても良い。
【００３９】
ビュー依存の強度関数は、任意の数の観測方向にサンプリングされても良く、それにより画素が整数個のビュー数に関連しないディスプレイ（例えば４．４９９９ビューシステム）に適用可能なビュー依存の強度関数を再生しても良い。該状況においては、ディスプレイの各画素について、非整数のビュー数が計算され、ビュー依存の強度関数は画素の位置においてサンプリングされる。非整数ディスプレイに対する強度関数のサンプリングは、観測距離補正のために適用され得る。通常マルチビューディスプレイは、特定の観測距離に対して最適化されている。特定の画素が第１の観測距離から観測され、同一の画像が第２の観測距離から観測されるべき場合には、異なる画素が画素値を割り当てられる。観測点が画面に近づく又は遠ざかる方向に移動するにつれて、画素に割り当てられるビューの数は変化する。しかしながら、このことは小さな補正であり、分数個のビュー数に帰着する。一実施例においては、該補正はレンズ幅のために利用される値を調節することにより為され得る。観測点が近くなるにつれてレンズは僅かに多くの画素をカバーするように見え、観測点が遠ざかるとその逆となるからである。
【００４０】
一実施例においては、再生を実行するため２つの段が利用される。第１の段において、空間ドメインにおいて適切な前置フィルタリングを利用して幾つかの中間ビューが再生される。該前置フィルタリングは、中間ビューが適切な中間解像度で生成されること、エイリアシングのようなアーティファクトが再生処理によって引き起こされないこと、等を確実にする。各出力ラインについて、このことは、レンズのそれぞれに対して、計算されたビューのそれぞれに対応する幾つかのＲＧＢ色に帰着する。
【００４１】
第２の段において、観測方向における連続的な信号がビューサンプルから再構築され（即ち強度関数が再構築される）、適切な空間フィルタリングされた関数（即ち図６において６３で示された強度曲線に対応する関数）を利用して当該空間位置について必要とされる出力ビューに再サンプリングされる。このことは、１つの空間位置について、ビュー信号の１Ｄ再構築によって為され得る。代替として、４と１／２（９個のビュー）及び４と２／３（７又は１４個のビュー）ディスプレイのような、１つよりも多いビューが（隣接するレンズからの）所定の方向から可視となるようなディスプレイについては、隣接するレンズからのサンプルを考慮に入れ、２Ｄフィルタリングを実行することも可能である。
【００４２】
該２段の手法は、非常に一般的である。第１の段において生成されるビューの数は、出力のために必要とされるビューの数とは異なる数についてさえ、パラメータ化されても良い。幾つかの画像が既に利用可能である場合（例えば複数のカメラによるショット又はＣＧＩを利用して生成されたショット）、第２の段はこれら画像をインタリーブするために利用されても良く、このようにして例えば９ビューディスプレイのための９個の画像ショットが、１４（４と２／３）ディスプレイのために再生されることができる。
【００４３】
本手法の一般性のため、第２の段において必要とされない色が第１の段において計算されても良い。特定のディスプレイタイプのための最適な効率的実装のために、アルゴリズムが特殊化されても良い。
【００４４】
図７は、本発明の実施例のフロー図を示す。第１のステップ７０において、画像のためのビュー依存の画像データが、例えば入力モジュールにおいて供給される。該画像についてのビュー依存の強度関数が次いで、入力データから生成され又は供給される（７１）。続いて、例えば再生モジュールにおいて、前記強度関数のビュー依存の座標に対して空間フィルタリングが適用され（７２）、ビュー依存の強度関数が複数のサブ画像にサンプリングされる（７３）。各サブ画像は、画像の観測方向に関連する。該サンプリングは、出力モジュールにおいて実行されても良い。
【００４５】
図面において示された特徴の幾つかは典型的にはソフトウェアで実装され、それ自体がソフトウェアウェアモジュール又はオブジェクトのようなソフトウェアエンティティを表す。
【００４６】
本発明は、ハードウェア、ソフトウェア、ファームウェア又はこれらのいずれかの組み合わせを含む、いずれの適切な形態で実装されても良い。本発明は、１以上のデータプロセッサ及び／又はディジタル信号プロセッサ上で動作するコンピュータソフトウェアとして実装されても良い。本発明の実施例の要素及びコンポーネントは、物理的、機能的及び論理的に、いずれの適切な態様で実装されても良い。実際に、機能は単一のユニットで実装されても良いし、複数のユニットで実装されても良いし、又は他の機能ユニットの一部として実装されても良い。従って、本発明は単一のユニットで実装されても良いし、種々のユニット及びプロセッサ間で物理的及び機能的に分散されても良い。
【００４７】
本発明は好適な実施例と関連して説明されたが、本発明はここで開示された特定の形態に限定されることを意図したものではない。本発明の範囲は、添付する請求項によってのみ限定される。
【００４８】
本節において、本発明の明確且つ完全な理解を提供するために、開示された実施例の特定の具体的な詳細は、限定ではなく説明の目的で示された。しかしながら、本発明は、本開示の精神及び範囲から著しく逸脱することなく、ここで開示された詳細に正確には合致しない他の実施例において実施され得ることは、当業者には容易に理解されるべきである。更に、これに関連して、簡潔さ及び明確さのため、良く知られた装置、回路及び方法の詳細な説明は、不必要な詳説及び起こり得る混乱を回避するために省略されている。
【００４９】
参照記号が請求項に包含されているが、該参照記号の包含は単に明確さのためのものであり、請求の範囲を限定するものとして解釈されるべきではない。
【図面の簡単な説明】
【００５０】
【図１】３Ｄレンチキュラディスプレイの原理を示す。
【図２（Ａ）】レンチキュラディスプレイの略図を上面図で示す。
【図２（Ｂ）】レンチキュラディスプレイの略図を上面図で示す。
【図３】隣接するビューからのサブ画像間のクロストークを示す。
【図４（Ａ）】２Ｄディスプレイについて、種々の角度から固定点を観測する観測者を示す。
【図４（Ｂ）】３Ｄレンチキュラディスプレイについて、種々の角度から固定点を観測する観測者を示す。
【図５（Ａ）】ビュー依存の強度関数の例を示す。
【図５（Ｂ）】ビュー依存の強度関数の例を示す。
【図６】強度関数のバンドパスフィルタリングの効果を示す。
【図７】本発明の実施例のフロー図を示す。
【図１】
2009515404.tif 000003
【図２Ａ】
2009515404.tif 000004
【図２Ｂ】
2009515404.tif 000005
【図３】
2009515404.tif 000006
【図４Ａ】
2009515404.tif 000007
【図４Ｂ】
2009515404.tif 000008
【図５Ａ】
2009515404.tif 000009
【図５Ｂ】
2009515404.tif 000010
【図６】
2009515404.tif 000011
【図７】
2009515404.tif 000012
【国際調査報告】
2009515404.tif 000013
2009515404.tif 000014
2009515404.tif 000015